(57)【要約】      （修正有）【課題】盗難防止能力に優れ、視覚的にも抑止効果が高く、また外観デザインに違和感を与えることのない二輪車の車輪ロック装置を提供する。【解決手段】左右のフロントフォーク８の対向位置にそれぞれ設けられた一対の施錠孔９４と、各施錠孔で両端を支持される施錠位置まで、一方の施錠孔を貫通して他方の施錠孔まで挿貫される施錠棒９２と、施錠棒９２に設けられた係合ピン９３と、施錠孔９４に設けられ、前記施錠位置で施錠棒９２の係合ピン９３と係合する係合孔９６と、係合ピン９３と係合孔９６との係合を解除する解錠手段とを含む。【選択図】図３
2004300664.tif 000002
【特許請求の範囲】
【請求項１】
二輪車の車輪に施錠棒を挿通して車輪の回転を阻止する二輪車の車輪ロック装置において、
左右のフロントフォークの対向位置にそれぞれ設けられた一対の施錠孔と、
前記各施錠孔で両端を支持される施錠位置まで、一方の施錠孔を貫通して他方の施錠孔まで挿貫される施錠棒と、
前記施錠棒に設けられた係合ピンと、
前記施錠孔に設けられ、前記施錠位置で前記施錠棒の係合ピンと係合する係合孔と、
前記係合ピンと係合孔との係合を解除する解錠手段とを含むことを特徴とする二輪車の車輪ロック装置。
【請求項２】
前記施錠棒の断面形状および前記施錠孔の形状が略半月状であることを特徴とする請求項１に記載の二輪車の車輪ロック装置。
【請求項３】
前記施錠棒が、
前記係合ピンを弾性的に外方へ突出させ、その先端を施錠孔の係合孔に係合させる手段を具備し、
前記解錠手段は、前記突出した係合ピンを降下させ、
前記係合ピンの先端が、前記施錠棒の挿入方向に対して前部が低くなるように傾斜したことを特徴とする請求項１または２に記載の二輪車の車輪ロック装置。
【請求項４】
前記施錠棒が、
固有のＩＤコードを記憶する記憶手段と、
車両外部から送信されたＩＤコードを受信する受信手段と、
前記固有ＩＤコードと受信ＩＤコードとを比較する比較手段と、
前記固有ＩＤコードと受信ＩＤコードとが一致または所定の関係にあるとき前記解錠手段を付勢するアクチュエータとを含むことを特徴とする請求項１ないし３のいずれかに記載の二輪車の車輪ロック装置。
【請求項５】
キーシリンダと、
前記キーシリンダに対して正規のキーで解錠操作がなされたときに、前記解錠手段を付勢するリンク機構とを含むことを特徴とする請求項１ないし４のいずれかに記載の二輪車の車輪ロック装置。
【発明の詳細な説明】
【０００１】
【発明の属する技術分野】
本発明は、二輪車の車輪を回転不能にロックして車両の盗難を防止する車輪ロック装置に係り、特に、視覚的にも盗難に対する抑止効果が高く、車両盗難を効果的に防止できる二輪車の車輪ロック装置に関する。
【０００２】
【従来の技術】
車両を盗難から防止するセキュリティ装置として、正規の所有者が所持する携帯端末から無線送信される暗証コードと、車両側に予め登録されている暗証コードとを比較し、両者が一致または所定の関係にあることが確認された場合のみ、ハンドルロックやシートロックなどのセキュリティロックを解除し、かつエンジン始動を許可するセキュリティ装置が提案されている。
【０００３】
さらに、上記したハンドルに対するロック機能やエンジン始動を不能化するイモビライザ機能とは別に、車輪をロックすることで盗難を防止する盗難防止器具として、ワイヤやＵ字状の金具をホイールに通す「ワイヤロック」や「Ｕロック」等の後付け器具が販売されている。
【０００４】
【発明が解決しようとする課題】
上記したワイヤロック等のロック装置は、実際の盗難防止効果のみならず、視覚的な盗難抑止効果も期待できる。しかしながら、上記した後付けのロック装置は、あらゆる形式の二輪車に適用できるように汎用性を重要視するあまり使い勝手が良くなかった。また、汎用性を高めるためにはワイヤ部分を細くし、かつ長めにすることが望ましいので、特殊工具を用いれば切断が可能であったり、適用車両によってはワイヤ部分が不必要に長くなるという問題があった。また、車体デザインとの間に一貫性がないのでデザイン的に違和感を与えてしまうという問題もあった。
【０００５】
このような技術課題に対して、特許第３０００５６０号公報には、ディスクブレーキ装置を備えた自動二輪車用の盗難防止装置として、ディスクプレートの係止孔に係止ピンを係止させて車輪の回転を阻止するロック装置が提案されている。しかしながら、このようなロック装置はディスクブレーキ装着車両にしか適用できないのみならず、ディスクプレートの係止孔に係止ピンを正確に位置決めしなければならないので、ロック時の操作性が良くなかった。
【０００６】
本発明の目的は、上記した従来技術の課題を全て解決し、盗難防止能力に優れ、視覚的にも抑止効果が高く、また外観デザインに違和感を与えることのない二輪車の車輪ロック装置を提供することにある。
【０００７】
【課題を解決するための手段】
上記した目的を達成するために、本発明は、二輪車の車輪に施錠棒を挿通して車輪の回転を阻止する二輪車の車輪ロック装置において、左右のフロントフォークの対向位置にそれぞれ設けられた一対の施錠孔と、前記各施錠孔で両端を支持される施錠位置まで、一方の施錠孔を貫通して他方の施錠孔まで挿貫される施錠棒と、前記施錠棒に設けられた係合ピンと、前記施錠孔に設けられ、前記施錠位置で前記施錠棒の係合ピンと係合する係合孔と、前記係合ピンと係合孔との係合を解除する解錠手段とを含むことを特徴とする。
【０００８】
上記した特徴によれば、施錠棒の両端が左右の施錠孔で支持されるように当該施錠棒を施錠孔に挿通すれば、前輪の回転が施錠棒により確実に阻止されるので、車両の盗難を防止できる。また、施錠棒および施錠孔を車体の形状や大きさに合わせて自由に設計できるので、外観デザインに違和感を与えることがない。さらに、車輪ロック装置が汎用の後付け部品によるものではなく、車体に組み込まれた純正構造であることが一目で判り、その防犯能力の高さを視覚的にアピールできるので、盗難防止に関して高い抑止力が期待できる。
【０００９】
【発明の実施の形態】
以下、図面を参照して本発明の好ましい実施の形態について詳細に説明する。図１は、本発明のセキュリティ装置を適用したスクータ型自動二輪車の外観側面図であり、車体前部１と車体後部２とは低いフロア部３を介して連結されており、それらの部分の骨格は、概ねダウンチューブとメインパイプとから構成される車体フレームにより形成されている。
【００１０】
車体前部１、車体後部２およびフロア部３は、それぞれフロントカバー４、ボディカバー５およびセンタカバー６で覆われている。車体前部１には、ステアリングヘッドに軸支されて上方にハンドル７が設けられ、下方にフロントフォーク８が延び、その下端に前輪ＦＷが軸支されている。
【００１１】
スイングユニット２０はリンク部材１８を介して揺動自在に連結支持されている。スイングユニット２０の前部には４単気筒の４サイクルエンジン１３が搭載されている。エンジン１３のクランク軸には、バッテリ電圧の低下時にエンジンを始動するためのキックペダル１９が連結されている。スイングユニット２０の後部には、遠心クラッチを介して設けられた減速機構１４に後輪ＲＷが軸支されている。減速機構１４の上端とメインパイプとの間にはリヤクッション１５が介装されている。
【００１２】
ハンドル７の上部は計器板を兼ねたハンドルカバー１０で覆われている。ステアリングヘッド、フロントフォーク８およびハンドル７は、操舵手段を構成している。ハンドルカバー１０から車体左右に向けてハンドル７のグリップ部分が突き出し、上方にサイドミラー１１Ｌ（１１Ｒ）が突き出している。
【００１３】
ボディカバー５の上方には、収納ボックスを覆うようにシート１６が設けられている。シート１６は開閉可能であり、その下部の収納ボックスにはヘルメットなどを収納できるようになっている。ボディカバー５の後部にはナンバプレート取付部１７、荷台、テールランプなどが設けられている。エンジンに付随して吸気管、気化器、エアクリーナなども配設されているが図示を省略している。
【００１４】
シートキャッチャ６２はシートロックを施錠または解錠する。ハンドルロックモジュール１２は、後に詳述するように、イグニッションキーのキーシリンダへの挿入を阻止してハンドルロックの解錠を阻止するＧロック機能およびその解除機能と、シートキャッチャ６２をシートワイヤ６１により遠隔操作してロックするシートロック機能およびその解除機能とを備えている。ハンドル７のロックは、イグニッションキーをキーシリンダへ挿入した状態でのみ解除される。
【００１５】
前記フロントフォーク８（８Ｒ，８Ｌ）の前部には、前輪ＦＷの回転を阻止して車両の盗難を防止する車輪ロック装置９が組み込まれている。
【００１６】
図２、５は、前記車輪ロック装置９を含む前輪ＦＷ近傍の解錠状態（図２）および施錠状態（図５）の側面図であり、図３、４は、その正面断面図である。いずれの図においても前記と同一の符号は同一または同等部分を表している。
【００１７】
図２に示したように、左右のフロントフォーク８（８Ｌ，８Ｒ）の前部には、略半月状の施錠孔９４（９４Ｌ，９４Ｒ）を確保するための支持具９１（９１Ｌ，９１Ｒ）が一体的に装着されている。本実施形態では、図３にも示したように、施錠孔９４Ｌが貫通孔であるのに対して、施錠孔９４Ｒは、一端が閉止された有底孔である。
【００１８】
車両を駐車して前輪ＦＷをロックする際には、図３に示したように、施錠棒９２が左フロントフォーク８Ｌの施錠孔９４Ｌに外側から挿入される。施錠棒９２はさらに、図４に示したように、この施錠孔９４Ｌを貫通して右フロントフォーク８Ｒの施錠孔９４Ｒに一端が挿貫され、その両端が左右の支持具９１Ｌ，９１Ｒにより支持される施錠位置まで押し込まれる。この結果、前輪ＦＷの回転が施錠棒９２により阻止される。
【００１９】
図６は、前記施錠棒９２の斜視図であって、断面が前記施錠孔９４と実質的に同一形状の略半月状であり、左右の両端近傍の側面からは係合ピン９３Ｌ，９３Ｒが弾性的に突出し、一方の端面にはマグネットキーに対応したキーシリンダ３２７の鍵穴が露出している。
【００２０】
前記係合ピン９３Ｌ，９３Ｒは、その前部が突出状態で施錠棒９２の表面とほぼ連続し、当該施錠棒９２の挿入方向に関して後方側が高くなるように上部が傾斜している。したがって、施錠棒９２を施錠孔９４に挿入すると、前記係合ピン９３の傾斜面が支持具９１の端部に接触し、その後、施錠棒９２をさらに挿入すると、これに伴って係合ピン９３が弾性力に抗して下方へ押し込まれる。
【００２１】
一方、図３に示したように、前記支持具９１Ｌ，９１Ｒには、前記施錠棒９２が正規の施錠位置（図４）まで挿入されたときに前記係合ピン９３Ｌ，９３Ｒと対向する位置に係合孔９６Ｌ，９６Ｒが開孔されている。そして、施錠棒９２が正規の施錠位置まで挿入された状態では、その係合ピン９３Ｌ，９３Ｒの先端が支持具９１Ｌ，９１Ｒの係合孔９６Ｌ，９６Ｒ内に弾発されて両者が係合し、施錠棒９２が支持具９１に対して固定される。
【００２２】
図７は、前記施錠棒９２に内蔵されて施錠ピン９３を上下動させる駆動回路および駆動機構の構成を示したブロック図である。
【００２３】
ＩＤコード受信部３２１は、送信機３０から送信されるＩＤコードを受信する。ＩＤコード記憶部３２２には、当該車両に固有のＩＤコードが予め記憶されている。ＩＤコード照合部３２３は、前記受信ＩＤコードと固有ＩＤコードとを比較し、両者が一致または所定の関係にあると、アクチュエータドライバ３２４へ解錠信号を送出する。アクチュエータドライバ３２４は前記解錠信号に応答してモータＭを付勢する。
【００２４】
モータＭの回転運動は、リンク機構３３１で直線運動に変換されて係合ピン９３Ｌ，９３Ｒに伝達され、これをスプリング３３３の弾性力に抗して施錠棒９２内に引き下げる。その結果、施錠棒９２と支持具９１との係合状態が解除されるので、施錠棒９２Ｒを前記施錠時とは逆方向へ引き出すことが可能になる。
【００２５】
一方、上記した電気的な解錠機構とは別に、本実施形態では電池３２８が容量不足に陥って電気的な解錠が不能になった場合に備えて機械的な解錠機能を備え、キーシリンダ３２７に正規のマグネットキー３２９が挿入されて解錠操作されると、リンク機構３３０を介して前記施錠ピン９３が施錠棒９２内に引き下げられる。
【００２６】
電源回路３２５は、前記バッテリ３２８の出力電圧を所定のロジック電圧に変換する。タイマ３２６は、前記ＩＤコード照合部２３２が解錠信号を送出するごとにリセットされ、このリセット時から略１０日間を計時して前記ＩＤコード受信部３２１およびＩＤコード照合部３２３に待機解除信号を送信する。
【００２７】
前記ＩＤコード受信部３２１およびＩＤコード照合部３２３は、前記待機解除信号に応答して待機回路をシャットダウンし、ＩＤコードの受信およびその照合を受け付けない休止状態へ移行する。休止状態にあるＩＤコード受信部３２１およびＩＤコード照合部３２３は、キーシリンダ３２７による解錠操作に応答して復帰する。
【００２８】
なお、上記した実施形態では、施錠棒９２の断面形状および施錠孔９４の開孔形状が半月状であるものとして説明したが、施錠孔９４に対する施錠棒９２の回転角度を所定の角度に規制できるので有れば、他の形状であっても良い。
【００２９】
また、上記した実施形態では、施錠棒９２と施錠孔９４との係合関係を解除させる手段として、ＩＤコードの一致を検出して動作する電動アクチュエータと、正規のキーによる解錠操作に応答して動作するリンク機構とを設けるものとして説明したが、いずれか一方のみが備えられた構造であっても良い。
【００３０】
【発明の効果】
本発明によれば、以下のような効果が達成される。
（１）視覚的にも盗難抑止効果のあるホイールロックによる盗難防止機能を、車体デザインを損なうことなく実現できるようになる。
（２）施錠棒の断面形状を、その施錠孔への挿入姿勢が一意に定まるように規定したので、施錠棒を施錠孔へ挿入しさえすれば、施錠棒の係合ピンを施錠孔の係合孔に係合させて両者を固定できるようになる。
（３）施錠棒の係合ピンを弾性的に突起させると共に、その先端に挿入方向へ向かって高くなる傾斜を設けたので、施錠棒を施錠孔へ挿入するだけで両者を固定できるようになる。
【図面の簡単な説明】
【図１】本発明の車輪ロック装置を適用したスクータ型自動二輪車の外観側面図である。
【図２】本発明の車輪ロック装置が装着されるフロントフォーク近傍の側面図（解錠状態）である。
【図３】本発明の車輪ロック装置が装着されるフロントフォーク近傍の正面図（解錠状態）である。
【図４】本発明の車輪ロック装置が装着されるフロントフォーク近傍の正面図（施錠状態）である。
【図５】本発明の車輪ロック装置が装着されるフロントフォーク近傍の側面図（施錠状態）である。
【図６】本発明の施錠棒の一例を示した斜視図である。
【図７】施錠棒に内蔵された係合ピンの駆動回路および駆動機構のブロック図である。
【符号の説明】４…フロントカバー，５…ボディカバー，６…センタカバー，７…ハンドル，９…車輪ロック装置，１２…ハンドルロックモジュール，１３…エンジン，１４…減速機構，１８…リンク部材，１９…キックペダル，２０…スイングユニット，９１…支持具，９２…施錠棒，９３…係合ピン，９４…施錠孔
【図１】
2004300664.tif 000003
【図２】
2004300664.tif 000004
【図３】
2004300664.tif 000005
【図４】
2004300664.tif 000006
【図５】
2004300664.tif 000007
【図６】
2004300664.tif 000008
【図７】
2004300664.tif 000009